(57)【要約】【課題】建物内光伝送路において、終端ユニットの作業性を考慮した終端ユニット昇降装置を備える建物内光伝送路を提供する。【解決手段】終端ユニット２８は、終端ユニット昇降装置４０に載置されている。終端ユニット昇降装置４０は、終端ユニット２８が載置される昇降台４２と、昇降台４２を天井裏空間の上昇位置と天井壁下の階の所定の下降位置の間で昇降させる昇降リフタ４４と、を備えている。通常、昇降台４２は、天井壁７２とぴったり面一に嵌っており、終端ユニット２８は、天井裏空間７０に配置されている。この昇降台４２を階下へ引っ張ると、コイルバネ５０は伸長して、この昇降台４２が下降位置まで移動することを許容する。これにより、作業環境の良い室内で配線作業やメンテナンス作業を行うことができる。【選択図】図５
2006174520.tif 000002
【特許請求の範囲】
【請求項１】
幹線光ケーブルから建物内に引き込まれる支線光ケーブルと、
建物内に配置され、支線光ケーブルを建物の各階へ分岐する階別分配器と、
前記階別分配器に接続され、建物のエレベータ昇降路内に配線され、建物の各階へ敷設される階別光ケーブルと、
前記階別光ケーブルの終端に固定され、建物の各階に配置され、各階の室内機器からの配線を接続するための機器からなる終端ユニットと、
を備える建物内光伝送路において、
天井裏空間に配置され、終端ユニットが載置される昇降台と、
前記昇降台を天井裏空間の上昇位置と天井壁下の階の所定の下降位置の間で昇降させる昇降リフタと、
を有する終端ユニット昇降装置を備えることを特徴する建物内光伝送路。
【請求項２】
請求項１に記載の建物内光伝送路において、
前記昇降台は、天井壁の一部を構成し、開閉可能に構成されていることを特徴とする建物内光伝送路。
【請求項３】
請求項１又は２に記載の建物内光伝送路において、
前記階別光ケーブルは、建物の天井裏空間とエレベータ昇降路を仕切るエレベータ昇降壁を貫通して、エレベータ昇降路から各階の天井裏空間に引き込まれていることを特徴とする建物内光伝送路。
【発明の詳細な説明】
【技術分野】
【０００１】
本発明は、建物内光伝送路に係り、特にエレベータ昇降路を利用した建物内光伝送路において終端ユニットを配置する終端ユニット昇降装置に関する。
【背景技術】
【０００２】
近年、ビル等の建物においては、入居者やテナントが容易に通信配線を利用できるように予め建物に光ケーブル等を配線した通信用伝送路を整備することが行われている。
【０００３】
複数階を有する建物における光伝送路の敷設方式は、例えば、幹線光ケーブルから分岐した支線光ケーブルを建物に引き込み、この支線光ケーブルを分配器等で分配し、更に建物の高さ方向に配線しつつ、各階の居住者・テナント等に配線している。新規に建築される建物では、予め配線配管等の配線経路が確保されて建物が建築されるので、居住者・テナントは容易に通信配線を利用することが可能である。一方、既存の建物について、建物の高さ方向の配線配管がない場合や配線配管があっても光ケーブルを増設するスペースがない場合があり、通信用伝送路を確保するのが困難である場合が多い。このような実情に鑑みて、本出願人は、建物の高さ方向の配線経路として、エレベータ昇降路を利用することを提案している。
【発明の開示】
【発明が解決しようとする課題】
【０００４】
エレベータ昇降路を利用して高さ方向の配線をした後、例えば、その階に配置される室内機器からの配線を行うための終端ユニットを配置する場合がある。この終端ユニットには、室内機器の端末やＬＡＮケーブル等の配線が接続される。この室内機器から終端ユニットへの配線作業は、個々のユーザの契約時期に応じて個別に行う必要がある。また、終端ユニットの定期的なメンテナンスも必要となる。従って、これら配線作業や定期的なメンテナンス作業がしやすい様に終端ユニットを配置することが望まれている。
【０００５】
そこで本発明は、終端ユニットの作業性を考慮した終端ユニット昇降装置を備える建物内光伝送路を提供することを目的とする。
【課題を解決するための手段】
【０００６】
本発明の建物内光伝送路は、幹線光ケーブルから建物内に引き込まれる支線光ケーブルと、建物内に配置され、支線光ケーブルを建物の各階へ分岐する階別分配器と、階別分配器に接続され、建物のエレベータ昇降路内に配線され、建物の各階へ敷設される階別光ケーブルと、階別光ケーブルの終端に固定され、建物の各階に配置され、各階の室内機器からの配線を接続するための機器からなる終端ユニットと、を備える建物内光伝送路において、天井裏空間に配置され、終端ユニットが載置される昇降台と、昇降台を天井裏空間の上昇位置と天井壁下の階の所定の下降位置の間で昇降させる昇降リフタと、を有する終端ユニット昇降装置を備えることを特徴とする。
【０００７】
また、本発明の建物内光伝送路において、昇降台は、天井壁の一部を構成し、開閉可能に構成されている。
【０００８】
更に、本発明の建物内光伝送路において、階別光ケーブルは、建物の天井裏空間とエレベータ昇降路を仕切るエレベータ昇降壁を貫通して、エレベータ昇降路から各階の天井裏空間に引き込まれている。
【発明の効果】
【０００９】
本発明は、通常は、終端ユニットを天井裏空間に配置させ、必要に応じて、天井壁下の階へ移動させることができるので、終端ユニットへの配線作業やメンテナンス作業の効率を上げることができる。
【発明を実施するための最良の形態】
【００１０】
以下、本発明を実施するための形態（以下、実施形態という）について、図面を参照し説明する。
【００１１】
まず、本実施形態の建物内光伝送路の全体構成について説明する。図１は、本実施形態の建物内光伝送路が建物に敷設された全体構成を示す図である。本実施形態の建物内光伝送路１０は、既存の建物１２に好適に適用され、建物１２は、エレベータシステム１４を備え、複数の階１６−１〜１６−ｎを有している。図１の建物１２は、４階建てであるが、これに限定されない。なお、建物１２は、一般居住者用のマンション、複数のテナントが入居するオフィスビルであっても良い。
【００１２】
建物内光伝送路１０は、幹線光ケーブル１８から建物１２内に引き込まれる支線光ケーブル２０と、建物１２内に配置され、支線光ケーブル２０を建物１２の各階１６−１〜１６−ｎ（以下、単に各階１６と記す）へ分岐する階別分配器２２と、階別分配器２２に基端側が接続され、建物１２のエレベータ昇降路２４内に配線され、建物１２の各階１６へ敷設される階別光ケーブル２６と、階別光ケーブル２６の終端に固定され、建物１２の各階１６に配置され、各階１６の室内機器からの配線を接続するための機器からなる終端ユニット２８と、を備えている。
【００１３】
なお、本実施形態において、幹線光ケーブル１８、支線光ケーブル２０，階別光ケーブル２６等の光ケーブルは、一般的な光ケーブルで構成することができ、心線がプラスチック又は高純度のガラスで構成され、その周囲が合成樹脂等のカバーで被覆されているものである。これら光ケーブルは必要とされるデータ伝送容量に応じて適宜選択される。
【００１４】
幹線光ケーブル１８は、インターネット網や地域ＩＰ網光ケーブル等で構成され、支線光ケーブル２０は、この幹線光ケーブル１８から分岐し、所定の建物１２に引き込まれる光ケーブルである。図１において、１本の支線光ケーブル２０が、建物内に引き込まれているが、複数本であっても良い。
【００１５】
階別分配器２２は、支線光ケーブル２０を複数の階別光ケーブル２６に分岐する機能を有する光分配器である。階別分配器２２は、支線光ケーブル２０を接続する入力側接続端子と、複数の階別光ケーブル２６を接続する出力側接続端子を有し、入力側接続端子と出力側接続端子は光配線回路で接続されている。階別分配器２２は、建物１２内の任意の場所に配置することができる。なお、階別分配器２２は、建物１２の外側でも良く、建物内エレベータ昇降路２４内に配置されても良い。この階別分配器２２は、例えばＭＤＦ（Main  Disutribution  frame）装置やＰＯＮ（Passive optical  Network）装置等で構成することができる。
【００１６】
階別光ケーブル２６は、その基端側が階別分配器２２に接続され、支線光ケーブル２０を建物１２の各階１６へ分岐する光ケーブルである。本実施形態においては、この階別光ケーブル２６が、エレベータ昇降路２４内に配線されている。この階別光ケーブル２６は、例えば、各階１６毎に一本の光ケーブルが用意され、図１に示す４階建ての建物１２であれば、階別光ケーブル２６は、４本配線される。このように、階別光ケーブル２６は、階別に１本配線されることが好ましく、このようにすることで、エレベータ昇降路２４内の敷設スペースを最小限に抑えることができる。また、階別光ケーブル２６により階別に配線することとしたので、ケーブル重量を分散することができる。また、階別光ケーブル２６が配線されるエレベータ昇降路２４内は、防火区画になっているので、災害時においても通信経路を確保することができる。
【００１７】
終端ユニット２８は、階別光ケーブル２６の終端に固定される。各階１６の室内機器からの配線２９を接続するための機器からなる。例えば、１階の天井裏空間に配置された終端ユニット２８には、１階の室内機器からの配線が接続される。
【００１８】
図２は、終端ユニット２８の具体例を示す図である。図２に示すように、この終端ユニット２８は、例えば、メディアコンバータ３４と、ＨＵＢ３６と、メディアコンバータ３４へ電源を供給する電源装置３８と、を備えている。メディアコンバータ３４に階別光ケーブル２６が接続され、これらの機器３４，３６，３８が、例えば、１つのボックスに収められることにより、階別光ケーブル２６と終端ユニット２８が一体化される。このように、終端ユニット２８は、室内機器からの配線２９を接続するための機器を備えているので、室内の端末やＬＡＮケーブル等をＨＵＢ３６に接続するだけで、室内機器を建物内光伝送路１０へ接続することができる。
【００１９】
なお、終端ユニット２８は、各階１６の室内機器からの配線を容易にすることを目的としている。従って、例えば、個別のユーザまで更に終端ユニット２８から光ケーブルを配線する場合には、終端ユニット２８は光分配器等で構成するのみでも良い。
【００２０】
ここで、階別光ケーブル２６と終端ユニット２８との接続は、建物１２の室内とエレベータ昇降路２４を仕切るエレベータ昇降路壁３０に配線用孔３２を形成し、この配線用孔３２に階別光ケーブル２６を貫通させることで実施することができる。この配線用孔３２は、建物の天井裏空間を貫通させ、階別光ケーブル２６を天井裏空間に引き込むことが適している。なぜなら、エレベータ昇降路２４と室内とを仕切るエレベータ昇降壁３０には、エレベータの乗場ドア等の設備が設置されており、配線用孔３２を形成するスペースを確保しがたい場合があるからである。上述したように、階別光ケーブル２６を天井裏空間に引き込めば、終端ユニット２８を天井裏空間に配置させることができ、階別光ケーブル２６を配線用孔３２を通すのみで、階別光ケーブル２６を室内に露出させることなく、終端ユニット２８に接続することができる。このことを言い換えると、通常の建物にみられるように、中間端子盤（ＩＤＦ）を室内に配置しなくても良く、室内空間の環境に影響を与えることがない。
【００２１】
本実施形態において特徴的な点は、天井裏空間に配置される終端ユニット２８が終端ユニット昇降装置４０に載置されている点である。図３は、終端ユニット昇降装置４０の斜視図であり、図４は、終端ユニット昇降装置４０の平面図であり、図５は、下降位置にある終端ユニット昇降装置４０を示す斜視図である。
【００２２】
終端ユニット昇降装置４０は、図３〜図５に示すように、終端ユニット２８が載置される昇降台４２と、昇降台４２を天井裏空間の上昇位置と天井壁下の階の所定の下降位置の間で昇降させる昇降リフタ４４と、を備えている。これにより、終端ユニット２８を天井裏空間に隠しつつ、それにより生じるデメリットを解消することができる。ここで、天井裏空間７０は、天井壁７２と、例えば、その上階の床壁７４と側壁（例えば、エレベータ昇降路壁３０）により囲まれている。
【００２３】
昇降台４２は、四角形状の板状部材からなり、この上に終端ユニット２８が載置される。本実施形態において、昇降台４２は、天井壁７２の一部を構成し、開閉可能に固定されている。すなわち、昇降台４２は、天井壁７２と面一にぴったり嵌り込み、動いたときには昇降台４２として移動する。また、昇降台４２は天井壁７２に対して、昇降台４２の外側面４２ａと天井壁７２の外側面７２ａが蝶番４６及びねじ４８で固定され、このねじ４８を外すことにより、昇降台４２は天井壁７２から外すことができる。昇降台４２は、天井壁７２の任意の場所に形成することができる。また、昇降台４２は、天井壁７２の一部として構成せず、別途設けられる天井蓋から、通過できるように構成しても良い。
【００２４】
この例では、昇降リフタ４４は、４本のコイルバネ５０から形成されている。図３に示すように、コイルバネ５０の一端側が昇降台４２の四隅に、他端側が天井裏空間７０を形成する壁の内側面、この例では、その上階の床壁７４の内側面７４ａに固定されている。コイルバネ５０は、その自由長の時に昇降台４２を上昇位置、すなわち、天井壁７２に嵌め込まれた位置に保持している。また、コイルバネ５０は、所定の長さ伸長し、昇降台４２が天井壁下の階の所定の下降位置まで移動することを許容している。
【００２５】
また、この例においては、昇降台４２の昇降移動を補助する補助冶具５２を備えている。この補助冶具５２は、昇降台４２の外側面４２ａに形成された連結孔４２ｂに連結される。作業員は、補助冶具５２を引っ張ることにより、コイルバネ５０を伸長させ、昇降台４２を下降させることができる。
【００２６】
次に、図３〜図５を用いて、この終端ユニット昇降装置４０の作用について説明する。
【００２７】
まず、作業員（図示せず）は、天井壁下の階から補助冶具５２を昇降台４２の連結孔４２ｂに連結する。次に、昇降台４２のねじ４８を外し、昇降台４２を天井壁７２から開放された状態にする。その後、作業員は、補助冶具５２を下方に引っ張る。すると、コイルバネ５０が伸長し、昇降台４２は、天井裏空間７０の上昇位置から天井壁下の階へ降りてくる。その後、補助冶具５２を床等に固定し、昇降台４２を下降位置で保持する。この保持位置は、後述する配線作業やメンテナンス作業がし易い高さにするとよい。
【００２８】
このように、終端ユニット２８は、昇降台４２が上昇位置から天井壁下の階１６の下降位置に降ろすことができる。従って、終端ユニット２８に対する配線作業やメンテナンス作業を作業環境の良い室内空間で行うことができる。また、昇降台４２を大きくしておけば、終端ユニット２８が載置場所以外の余分なスペースを、作業の際の作業スペースとしても利用することもできる。
【００２９】
終端ユニット２８の配線作業やメンテナンス作業が終了したら、補助冶具５２の固定を解除する。コイルバネ５０の復元力により、昇降台４２は上昇位置に戻る。その後、昇降台４２を天井壁７２に固定する。このとき、階下へ伸ばされた階別光ケーブル２６や室内機器からの配線２９が昇降台４２と天井壁７２との間に挟まることが考えられる。この対策として、終端ユニット昇降装置４０に引っかかり防止機構やケーブル巻き取り機構を適宜設けても好適である。
【００３０】
次に、他の終端ユニット昇降装置６０について説明する。図６は、終端ユニット昇降装置６０の斜視図であり、図７は、下降位置にある終端ユニット昇降装置６０を示す斜視図である。なお、前述した終端ユニット昇降装置４０と同様の構成、作用については、説明を省略する。
【００３１】
図６，７に示すように、終端ユニット昇降装置６０は、終端ユニット２８が載置される昇降台６２と、昇降台６２を昇降させる昇降リフタ６４と、備えている。終端ユニット昇降装置６０の昇降台６２も、四角形状の板状部材からなり、天井壁７２の一部を構成し、天井壁７２に開閉自在（着脱自在）に構成されている。例えば、昇降台６０の天井壁７２の固定は、上述した終端ユニット昇降装置４０と同様に行うことができる。昇降リフタ６４は、ワイヤ巻き取りリール６６と、このワイヤ巻き取りリール６６に収められたワイヤ６８と、を備えている。ワイヤ巻き取りリール６６は、図６に示すように、昇降台６２の一辺の両隅に２つ設けられている。ワイヤ巻き取りリール６６に収められたワイヤ６８の先端が天井壁７２の内側面７２ｂに固定されている。この巻き取りリール６６の停止や巻き取り動作は、電動で行うことが好適であり、その指示はリモコン操作で行うことが好適である。
【００３２】
次に、終端ユニット昇降装置６０の作用について説明する。
【００３３】
この昇降台６２を天井壁７２から外すと、巻き取りリール６６に収められたワイヤ６８の巻きが解かれる。これにより、昇降台６２は、天井裏空間７０の上昇位置から天井壁７２の下の階１６に降りてくる。作業者は、昇降台６２を所定の下降位置で停止させ、配線作業やメンテナンス作業を行う。作業が終了したら、ワイヤ６８を巻き取り、昇降台６２を上昇位置に戻し、天井壁７２に固定する。
【００３４】
このように、本実施形態の終端ユニット２８は、終端ユニット昇降装置４０，６０により、通常は天井裏空間７０に配置されている。従って、階別光ケーブル２６や室内機器からの配線２９を居住者がいる室内から隠すことができる。また、終端ユニット２８は、配線作業やメンテナンス作業等が必要な場合に、作業環境の良い階下へ降ろすことができるので、作業効率が上がり、作業時間も短縮することができる。
【００３５】
なお、床下に終端ユニット昇降装置等を設け、床下から終端ユニット２８を突出させることはせず、天井裏空間から天井壁下の階へ降ろす構成とした理由は以下の通りである。上述したように、この建物内光伝送路は、既存の建物に対して好適に実施される。従って、一般的に床下より天井裏空間の方が、フリースペースが残っており、配線スペースを確保し易いからである。また、床下の構造は、個々の建物によって様々であり、個々に床下構造を調査する必要がある。これに対して、天井裏空間は、どの建物でもほとんど同様の構造をしているので、工事を標準化することができるメリットがある。
【図面の簡単な説明】
【００３６】
【図１】本実施形態の建物内光伝送路が建物に敷設された全体構成を示す図である。
【図２】終端ユニットの例を示す図である。
【図３】終端ユニット昇降装置の斜視図である。
【図４】終端ユニット昇降装置の平面図である。
【図５】下降位置にある終端ユニット昇降装置を示す斜視図である。
【図６】他の終端ユニット昇降装置の斜視図である。
【図７】下降位置にある他の終端ユニット昇降装置を示す斜視図である。
【符号の説明】
【００３７】
１０  建物内光伝送路、１２  建物、１４  エレベータシステム、１６  階、１８  幹線光ケーブル、２０  支線光ケーブル、２２  階別分配器、２４  エレベータ昇降路、２６  階別光ケーブル、２８  終端ユニット、３０  エレベータ昇降路壁、３２  配線用孔、３４  メディアコンバータ、３６  ＨＵＢ、３８  電源装置、４０  終端ユニット昇降装置、４２  昇降台、４２ａ  外側面、４２ｂ  連結孔、４４  昇降リフタ、４６  蝶番、４８  ねじ、５０  コイルバネ、５２  補助冶具、６０  終端ユニット昇降装置、６２  昇降台、６４  昇降リフタ、６６  ワイヤ巻き取りリール、６８  ワイヤ、７０  天井裏空間、７２  天井壁、７２ａ  外側面、７２ｂ  内側面、７４  床壁、７４ａ  内側面。
【図１】
2006174520.tif 000003
【図２】
2006174520.tif 000004
【図３】
2006174520.tif 000005
【図４】
2006174520.tif 000006
【図５】
2006174520.tif 000007
【図６】
2006174520.tif 000008
【図７】
2006174520.tif 000009